【事件の表示】
　特願２００５−３３６４４５「音楽チップ用のデータプロトコル」拒絶査定不服審判事件〔平成１８年　４月２７日出願公開、特開２００６−１１３５９９〕について、次のとおり審決する。
【結　論】
　本件審判の請求は、成り立たない。
【理　由】
第１　手続の経緯
　本願は、平成８年５月２２日（パリ条約による優先権主張１９９５年（平成７年）５月２２日、米国）に出願した特願平８−１２６７８８号の一部を平成１７年１１月２２日に新たな特許出願としたものであって、平成２１年２月６日付けで拒絶理由通知がなされ、これに対し、平成２１年８月１２日付けで補正書が提出されたが、平成２２年４月２６日付けで拒絶査定がなされ、これに対し、平成２２年８月２７日に拒絶査定に対する審判請求がなされるとともに、同日付けで手続補正がなされたものである。
　
第２　平成２２年８月２７日付けの手続補正についての補正却下の決定
[補正却下の決定の結論]
　平成２２年８月２７日付けの手続補正を却下する。
　
[理由]
１．補正後の本願発明
　平成２２年８月２７日付けの手続補正により補正された特許請求の範囲のうち、請求項１は、以下のとおりである。
「【請求項１】
　オーディオプレーヤーとともに使用されるために適合されている集積回路チップ内に、予め録音されたオーディオを記憶する際に使用するためのメモリと、
　メモリ内に前記予め録音されたオーディオを記憶するために使用された符号化技術に対応する内部記憶されたパラメータを有し、前記オーディオを復号化する際に前記オーディオプレーヤーにより使用される汎用ヘッダ（２２）と、
　多数のデータフィールド（４０，４２，４４）を有
し、前記汎用ヘッダとは別個の
（ｉ）選択可能な
、タイトルの
および関連するオーディオ・トラックのアーティスト情報のうちの少なくとも１つ、
（ｉｉ）関連するオーディオ・トラックについての
を含む
　
　上記補正は、請求項１に記載した発明を特定するために必要な事項について限定を付加するものであって、平成１８年法律第５５号改正附則第３条第１項によりなお従前の例によるとされる同法による改正前特許法（以下、「平成１８年改正前特許法」という。）第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか。）否かについて以下に検討する。
　
２．引用刊行物
　原査定の拒絶理由に引用された特開平４−６７４９０号公報（以下、「引用刊行物」という。）には、次の事項が記載されている。なお、下線は当審が付したものである。
　
（１）「〔産業上の利用分野〕
本発明は情報記憶装置及び情報再生装置に係り、特に、いわゆるカラオケ演奏に好適なディジタルオーディオ情報記憶装置及びディジタルオーディオ情報再生装置に関する。」（第２頁左上欄第６〜１０行）
　
（２）「〔発明が解決しようとする課題〕
　・・・（中略）・・・ＣＤには、個々の記憶領域の先頭にはサブコードというコード情報が記録されている。このサブコードを高速で検索することにより、所望の曲をすばやく選択する「頭出し」という操作が可能であり、これが、ＣＤの特徴の一つとなっている。この場合、ＴＯＣ（Ｔａｂｌｅ　ｏｆ　Ｃｏｎｔｅｎｔｓ）と呼ばれ、各曲目のサブコードの「目次」に相当するものがＣＤディスクの最内周のリードインと呼ばれる部分（最初に読み取られる部分）に収録されている。ＣＤのＴＯＣは９バイトの内容を有している。ＣＤプレーヤは、あらかじめこのＴＯＣの内容を読み取っておく。ユーザが所望の曲の「頭」の部分のサブコードを示す操作指令を入力すると、ＣＤプレーヤは、そのサブコードを有するディスク上のアドレス位置を検索し、情報を読み取る光学式ピックアップを移動させ所定のアドレス位置から再生を開始するのである。
　しかし、このＣＤにおいても、ＴＯＣに収録されているのはＴＯＣの記録容量の関係から曲名そのものではなくコード情報であるため、所望の曲を選択的に演奏させるためには、曲目とコート情報とを対応させたリスト（印刷物等）がやはり必要となる。
　本発明の目的は、収録されている曲に関する名称等の情報をユーザに報知又は出力しうる情報記憶装置、及びこの情報記憶装置から情報を再生する情報再生装置を提供することにある。」（第２頁右上欄第２行〜同頁右下欄第７行）
　
（３）「第５図において、このＣＤ−ＲＯＭＸＡディスク１１は、リード・イン部ＬＩＮと、記録領域２１と、リード・アウト部ＬＯＵＴとを有している。記憶領域２１においてトラックＴは、ボリューム・ディスクリプタＴＤと、セクタＴ１〜ＴｍとギャップＴＧとを有している。ボリューム・ディスクリブタＴＤは、ＣＤ−ＲＯＭＸＡであることを示す識別コード、フラッグ、スタートアップディレクトリ等を記憶した部分であ、Ｍｏｄｅ１又はＭｏｄｅ２Ｆｏｒｍ１で記憶される。
画像・音声信号を記憶するセクタＴ
１
〜Ｔ
ｍ
（例えばＴ
ｋ
）はＭｏｄｅ２Ｆｏｒｍ２で記憶され、シンクＳ
ＳＹＮＣ
と、ヘッダＳ
Ｈ
とサブヘッダＳ
ＳＨ
とユーザ・データＳ
ＵＤ
と、誤り検出符号部Ｓ
ＥＤＣ
とを含んでいる。
　
ユーザ・データＳ
ＵＤ
はＦｏｒｍ２では２３２４バイトであり、データユニットＵ
１
〜Ｕ
０
とスペアユニットＵ
ＳＰ
とを有している。
　したがって、この場合は、ｎ＝１８である。そして、誤り検出符号部ＳＥＤＣは４バイトから成っている。
データユニットＵ
１
〜Ｕ
１８
は計２３０４バイトであり、音声・音響信号がＡＤＰＣＭ方式で符号化されて記憶される。
　ＡＤＰＣＭの原理を第６図に示す。まず、過去の人力信号から現在の入力信号を適応予測器Ｄにより予測し、予測した信号ｙと現在の人力信号ｘとの差分ｅ（＝ｘ−ｙ）を減算器ＳＴで演算する。次いで、差分ｅを適応量子化器Ｑにより複数のビット数で量子化してＣｅに符号化する。再生は上記の逆を行う。すなわち、符号化信号Ｃｅを、適応逆量子化器Ｑ−１により差分ｅに戻す。次いて、適応予測器ＡＤにより予測した信号ｙと差分ｅを加算器ＡＤにより加算して出力信号ｘを得る。
　このＡＤＰＣＭ方式では、少ないビットで効率のよいオーディオデータの記憶が可能である。ビット節減率（データ圧縮率）によりオーディオ特性も異なる。第７図に、ＡＤＰＣＭとオーディオ特性等との関係を示す。第７図からわかるように、Ａレベルのビット節減率は、ステレオ記憶で１／２、モノラル記憶で１／４である。Ｂレベルのビット節減率は、ステレオ記憶で１／４、モノラル記憶で１／８である。また、Ｃレベルでは、ステレオ記憶で１／８、モノラル記憶で／１６である。ビット節減率が例えば１／４ということは、従来の記録容量の１／４で済み、あとの３／４は他のデータの記憶に用いることができることを意味する。」（第５頁左下欄第７行〜第６頁右上欄第５行）
　
（４）第７図には、「音質のレベル」と、該「音質のレベル」に対応する「方式」、「標本化周波数」等を記した表が略以下のように記されている。
　
　まず、「方式」と「標本化周波数」について、
「音質のレベル　　　　　　　　　　方式　　　　　標本化周波数(kHz)
　ＣＤディジタルオーディオ　　　　ＰＣＭ　　　　４４．１
　（現行１６ビットＰＣＭ相当の音質）
　Ａ　ハイファイ　　　　　　　　　ＡＤＰＣＭ　　３７．８
　（ＬＰレコード相当の音質）
　Ｂ　ミッド・ハイファイ　　　　　ＡＤＰＣＭ　　３７．８
　（ＦＭ放送相当の音質）
　Ｃ　スピーチ　　　　　　　　　　ＡＤＰＣＭ　　１８．９
　（ＡＭ放送相当の音質）　　　　　　　　　　　　　　　　　　　　　」
　
　さらに、「量子化数」、「ビット削減率」について、
「音質のレベル　　　　　　　　　　量子化数　　　ビット節減率
　　　　　　　　　　　　　　　　（ビット）　　（ステレオ／モノ）
　ＣＤディジタルオーディオ　　　　１６　　　　　１
　（現行１６ビットＰＣＭ相当の音質）
　Ａ　ハイファイ　　　　　　　　　　８　　　　　１／２　／　１／４
　（ＬＰレコード相当の音質）
　Ｂ　ミッド・ハイファイ　　　　　　４　　　　　１／４　／　１／８
　（ＦＭ放送相当の音質）
　Ｃ　スピーチ　　　　　　　　　　　４　　　　　１／８　／　１／１６
　（ＡＭ放送相当の音質）　　　　　　　　　　　　　　　　　　　　　」
との事項が記されている。
　
（５）「
ユーザ・データＳ
ＵＤ
領域を利用してディジタル内容情報テーブルであるファイル情報テーブル（以下、ＦＩＬＥ−ＴＯＣという。）を記憶することができる。
　
（６）「第８図に、ＦＩＬＥ−ＴＯＣの設定例を示す。
　第８図において、
このＦＩＬＥ−ＴＯＣ４０３は１個のセクタを用い、ＸＡアプリケーション情報部Ｘ
Ａ
と、ＸＡデータ情報部Ｘ
Ｄ
と、を有している。ＸＡアプリケーション情報部Ｘ
Ａ
は８４バイトであり、ディスクの内容全体に関する情報を記憶する部分であって、
パートＸ
Ａ３
は３２バイトであり、著作権者（製作者）に関する情報を記憶する部分である。
ＸＡデータ情報部Ｘ
Ｄ
は２２４０バイトであり、ＸＡヘッダ部Ｘ
ＤＨ
と、ＸＡデータ部Ｘ
ＤＤ
とを有している。
　
ＸＡデータ部Ｘ
ＤＤ
は、オーディオデータ部ＤＡと、グラフィックデータ部ＤＧと、テロップデータ部ＤＴと、曲名データ部ＤＮとを有している。楽章情報又は楽曲情報としてカラオケ伴奏音楽が記憶されている場合は、主としてオーディオデータ部ＤＡにディジタル内容情報が記憶される。曲名情報である曲名は曲名データ部ＤＮに記憶される。曲名情報は、ＪＩＳコードのような文字コード情報の場合は、通常８ビツト（１バイト）単位で記憶される。
　
（７）第８図には、ＸＡデータ部ＸＤＤが示されていて、オーディオデータ部ＤＡ、グラフィックデータ部ＤＧ、テロップデータ部ＤＴ、曲名データ部ＤＮの内容が示されている。
　曲名データ部ＤＮは、図面上では、ＤＮ１〜ＤＮ１１から構成されていて、それぞれについて、次のように記されている。
　　ＤＮ１：「Ｎ＿ＦＩＬＥ＃」
　　ＤＮ２：「Ｎ＿ｔｙｐｅ」
　　ＤＮ３：「Ｒｅｃｒｄ　ｃｏｕｎｔ」
　　ＤＮ４：「ｒｅｃｏｒｄ　＃」
　　ＤＮ５：「曲名」
　　ＤＮ６：「Ｓｔａｒｔ　Ａｄｒｅｓｓ」
　　ＤＮ７：「Ｅｎｄ　Ａｄｒｅｓｓ」
　　ＤＮ８：「ｒｅｃｏｒｄ　＃」
　　ＤＮ９：「曲名」
　　ＤＮ１０：「Ｓｔａｒｔ　Ａｄｒｅｓｓ」
　　ＤＮ１１：「Ｅｎｄ　Ａｄｒｅｓｓ」
　
（８）「そして、
上記の実施例においては、情報記憶装置としてＣＤ−ＲＯＭＸＡディスクの例について説明したが、これは、他の種類のＣＤ−ＲＯＭ、ＣＤ−Ｉ、通常のコンパクトディスク、あるいはＩＣカード、他の形式の読み出し専用メモリなどであってもかまわない。
　
（９）以上を総合すると、引用刊行物には、次の発明（以下、「引用発明」という。）が記載されている。
「音声・音響信号がＡＤＰＣＭ方式で符号化されて記憶されるデータユニットＵ１〜Ｕ１８を含むセクタＴ１〜Ｔｍと、
　ＸＡアプリケーション情報部ＸＡとＸＡデータ情報部ＸＤとを有したＦＩＬＥ−ＴＯＣとを備え、
　前記ＸＡアプリケーション情報部ＸＡは、ディスクの内容全体に関する情報を記憶する部分であって、前記ＸＡアプリケーション情報部ＸＡのパートＸＡ３には著作権者（製作者）に関する情報が記憶され、
　前記ＸＡデータ情報部ＸＤは、ＸＡヘッダ部ＸＤＨと、ＸＡデータ部ＸＤＤとを有していて、
　前記ＸＡデータ部ＸＤＤは、オーディオデータ部ＤＡと、グラフィックデータ部ＤＧと、テロップデータ部ＤＴと、曲名データ部ＤＮとを有していて、オーディオデータ部ＤＡにディジタル内容情報が記憶され、曲名情報である曲名が、スタートアドレス及びエンドアドレスとともに、曲名データ部ＤＮに記憶されるものである、
メモリを記録媒体に用いたディジタルオーディオ情報再生装置。」
　
３．　対比・判断
（１）本願補正発明と引用発明との対比
（本願補正発明のヘッダに関して）
　本願補正発明における「汎用ヘッダ」は、「予め録音されたオーディオを記憶するために使用された符号化技術に対応する」「パラメータ」を有したものであり、「個々のヘッダ」は、「予め録音されたオーディオの個々のトラックに関する」「記述情報」を含むものであって、共に「予め録音されたオーディオ」のための管理情報としてとらえることができる。
　なお、ここで、本願補正発明における「トラック」とは、本願明細書の「現在の符号化アルゴリズムを採用することで、チップ当たり４５分の演奏時間を確保できる。平均でトラック当たり３分として、音楽チップに１５曲ないしそれより多くのトラックを収容できる。各トラックのための１５の付属するヘッダの記憶に必要なメモリは音楽チップのメモリ容量の１％よりも少ないと考えられる。」（段落【００２６】）との記載から、音楽の１曲に対応するものととらえることができる。
　
　また、本願明細書の段落【０００７】によれば、「汎用ヘッダ２２はチップ上の選択に関する一般的な情報およびこれらが符号化された方法などを含んでいる。より詳しくは、汎用ヘッダ２２は音楽２４の配給者、録音ラベル２６および著作権情報２８などを含んでいる。」というように、「汎用ヘッダ」には、「個々のトラック」には依存しない情報が記述されていると解される。
　
　それゆえ、本願補正発明において、「個々のヘッダ」は、管理情報である「個々のトラックに関する」「記述情報」が格納されているものであって、「汎用ヘッダ」は、「個々のトラック」全てに共通する管理情報が格納されているものととらえることができる。
　
（汎用ヘッダに関する対比）
　本願補正発明の「汎用ヘッダ」は、「メモリ内に前記予め録音されたオーディオを記憶するために使用された符号化技術に対応する内部記憶されたパラメータを有し、前記オーディオを復号化する際に前記オーディオプレーヤーにより使用される」ものであるが、本願明細書の段落【０００７】によれば、「汎用ヘッダ２２はチップ上の選択に関する一般的な情報およびこれらが符号化された方法などを含んでいる。より詳しくは、汎用ヘッダ２２は音楽２４の配給者、録音ラベル２６および著作権情報２８などを含んでいる。」ものであって、本願補正発明の実施例として、「汎用ヘッダ」に「著作権情報」を格納することも想定されている。
　
　それゆえ、引用発明は、ディスクの内容全体に関する情報を記憶するＸＡアプリケーション部ＸＡの中のパートＸＡ３に、著作権者に関する情報を記憶するものであるから、記憶される情報の種類が本願補正発明とは異なるものの、引用発明のＸＡアプリケーション部ＸＡに記憶された情報は、個々のトラック全てに共通する管理情報である点で、本願補正発明と引用発明とは、共に「汎用ヘッダ」を備えたものであるということができる。
　
（個々のヘッダに関する対比）
　本願補正発明は、「（ｉ）選択可能なオーディオのカテゴリ、タイトルの識別および関連するオーディオ・トラックのアーティスト情報のうちの少なくとも１つ、ならびに（ｉｉ）関連するオーディオ・トラックについてのトラックアドレスを含む一般の記述情報を含むような少なくとも１つの個々のヘッダ」を備えるものであって、前者の（ｉ）に関しては、選択可能な「オーディオのカテゴリ」、「オーディオのタイトルの識別」、「関連するオーディオ・トラックのアーティスト情報」のうちの少なくとも１つを含むものであるから、前者の（ｉ）に関しては、「個々のヘッダ」が選択可能な「タイトルの識別」のための記述情報を含むものととらえることができる。
　それゆえ、本願補正発明は、「（ｉ）選択可能なオーディオのタイトルの識別、ならびに（ｉｉ）関連するオーディオ・トラックについてのトラックアドレスを含む一般の記述情報を含むような少なくとも１つの個々のヘッダ」を備えるものととらえることができる。
　
　ここで、「タイトル」とは、本願明細書の「テーブル内容は演奏時間、歌のタイトル、音楽のカテゴリー、並びにアーティストに関する情報を含んでいる。個々のトラック選択は個々のヘッダによりテーブル内容の一部としてリストされる。」（段落【０００５】）との記載によれば、音楽の１曲に対応する「トラック」と対応付けられたものであって、「歌のタイトル」としていることから、本願補正発明の「タイトル」とは「曲名」であるととらえることができる。
　
　引用発明における「曲名情報である曲名が、スタートアドレス及びエンドアドレスとともに曲名データ部ＤＮに記憶される」ことに関して、上記２．（７）を参酌すれば、引用発明のＸＡデータ部ＸＤＤの曲名データ部ＤＮには、データフィールドの中に、「曲名」が、「ｒｅｃｏｒｄ　＃」、「Ｓｔａｒｔ　Ａｄｒｅｓｓ」、「Ｅｎｄ　Ａｄｒｅｓｓ」を伴って、曲名ごとに格納されていることが分かる。
　ここで、それぞれの「Ｓｔａｒｔ　Ａｄｒｅｓｓ」及び「Ｅｎｄ　Ａｄｒｅｓｓ」は、それぞれの「曲名」に対応するオーディオデータのアドレスであることが明らかである。
　
　それゆえ、引用発明のＸＡデータ部ＸＤＤは、本願補正発明の「データフィールドが前記予め録音されたオーディオの個々のトラックに関する、（ｉ）選択可能なタイトルの識別、ならびに（ｉｉ）関連するオーディオ・トラックについてのトラックアドレスを含む一般の記述情報を含むような個々のヘッダ」に相当する。
　そして、本願補正発明の「汎用ヘッダ」に対応する引用発明の「ＸＡアプリケーション部ＸＡ」と、本願補正発明の「個々のヘッダ」に対応する引用発明の「ＸＡデータ部ＸＤＤ」とは、別個のものであることが明らかであるから、結局のところ、本願補正発明と引用発明とは、「多数のデータフィールドを有し、前記汎用ヘッダとは別個の少なくとも１つの個々のヘッダであって、前記データフィールドが前記予め録音されたオーディオの個々のトラックに関する、（ｉ）選択可能なオーディオのタイトルの識別、ならびに（ｉｉ）関連するオーディオ・トラックについてのトラックアドレスを含む一般の記述情報を含むような少なくとも１つの個々のヘッダ」を備える点で一致する。
　
（メモリに関する対比）
　引用発明は、予め録音されたオーディオを記憶するためにメモリを用いているものであって、明示はされていなくとも、そのようなメモリは集積回路チップ内に設けられるものであることが明らかである。
　また、引用発明の「ディジタルオーディオ情報再生装置」と本願補正発明の「オーディオプレーヤー」とは、共にオーディオ情報を再生する装置との意味であって、単に表記が異なるだけである。
　それゆえ、本願補正発明と引用発明とは、「オーディオプレーヤーとともに使用されるために適合されている集積回路チップ内に、予め録音されたオーディオを記憶する際に使用するためのメモリ」を備える点で一致する。
　
　したがって、本願補正発明と引用発明とは、以下の点で一致し、相違する。
［一致点］
「オーディオプレーヤーとともに使用されるために適合されている集積回路チップ内に、予め録音されたオーディオを記憶する際に使用するためのメモリと、
　汎用ヘッダと、
　多数のデータフィールドを有し、前記汎用ヘッダとは別個の少なくとも１つの個々のヘッダであって、前記データフィールドが前記予め録音されたオーディオの個々のトラックに関する、（ｉ）選択可能なオーディオのタイトルの識別、ならびに（ｉｉ）関連するオーディオ・トラックについてのトラックアドレスを含む一般の記述情報を含むような少なくとも１つの個々のヘッダとを備える装置。」
　
［相違点］
　本願補正発明は、汎用ヘッダが、「メモリ内に前記予め録音されたオーディオを記憶するために使用された符号化技術に対応する内部記憶されたパラメータを有し、前記オーディオを復号化する際に前記オーディオプレーヤーにより使用される」ものであるのに対して、
　引用発明は、汎用ヘッダがそのようなために用いられるものではなく、著作権者に関する情報が記憶されている点。
　
（２）相違点に対する判断
　引用発明において、メモリに記憶されるオーディオデータの種類は、ＡＤＰＣＭであり、上記２．（３）に示されるとおり、標本化周波数などが異なる複数種類のＡＤＰＣＭオーディオデータが対象となることが示されており、また、引用刊行物には、ＰＣＭのオーディオデータをメモリに記憶することは記載されていないものの、上記２．（４）にＰＣＭオーディオデータが対比されているように、データ量が大きくなることをいとわなければ、ＰＣＭオーディオデータをも対象とし得るものである。
　ここで、ＰＣＭやＡＤＰＣＭの信号は、上記２．（３）に記されているように、「符号化信号」の１種である。
　引用発明は、記憶媒体の内容全体に関する管理情報を、個々のオーディオデータに関する管理情報とは別にして、個々のオーディオデータに共通する管理情報として、本願補正発明の「汎用ヘッダ」に対応するＸＡアプリケーション情報部ＸＡに記憶するものである。
　それゆえ、引用発明において、個々のオーディオデータに共通するＰＣＭやＡＤＰＣＭの符号化技術に関する情報を、本願補正発明の汎用ヘッダに対応するＸＡアプリケーション部ＸＡに記憶するようにすることに、格別の困難性はない。
　
　以上のとおりであって、本願補正発明は、引用発明に基づいて、当業者が容易に発明をすることができたものであるから、特許法第２９条第２項の規定により特許出願の際独立して特許を受けることができないものである。
　
（３）まとめ
　したがって、本件補正は、平成１８年改正前特許法第１７条の２第５項で準用する同法第１２６条第５項の規定に違反するものであり、同法第１５９条第１項において読み替えて準用する同法第５３条第１項の規定により却下されるべきものである。
　
第３　本願発明について
１．本願発明の認定
　平成２２年８月２７日付けの手続補正は上記のとおり却下されたので、本願の請求項に係る発明は、平成２１年８月１２日付けで手続補正された特許請求の範囲の請求項１〜１０に記載された事項により特定されるものと認められるところ、その請求項１に係る発明（以下、「本願発明」という。）は以下のとおりのものである。
「【請求項１】
　オーディオプレーヤーとともに使用されるために適合されている集積回路チップ内に、予め録音されたオーディオを記憶する際に使用するためのメモリと、
　メモリ内に前記予め録音されたオーディオを記憶するために使用された符号化技術に対応する内部記憶されたパラメータを有し、前記オーディオを復号化する際に前記オーディオプレーヤーにより使用される汎用ヘッダ（２２）と、
　多数のデータフィールド（４０，４２，４４）を有する少なくとも１つの個々のヘッダ（３６）であって、前記データフィールドが前記予め録音されたオーディオの個々のトラックに関する、オーディオのカテゴリおよび識別、ならびにトラックアドレスのような、一般の記述情報を含むような少なくとも１つの個々のヘッダ（３６）と、を備えることを特徴とする装置。」
　
２．引用刊行物
　原審拒絶理由に引用された刊行物、および、その記載事項は、前記第２　２．に記載したとおりである。
　
３．対比・判断
　本願発明は、前記第２で検討した本願補正発明の限定事項である構成を省いたものである。
　そうすると、本願発明の特定事項を全て含み、さらに他の特定事項を付加したものに相当する本願補正発明が、前記第２　３．に記載したとおり、引用発明に基づいて、当業者が容易に発明をすることができたものであるから、本願発明も、同様の理由により、引用発明に基づいて、当業者が容易に発明をすることができたものである。
　
４．まとめ
　したがって、本願発明は、引用発明に基いて当業者が容易に発明をすることができたものであるので、特許法第２９条第２項の規定により特許を受けることができない。
　
第４　むすび
　以上のとおりであるから、本願は、他の請求項に係る発明について検討するまでもなく、拒絶すべきものである。
　よって、結論のとおり審決する。